(57)【要約】【課題】ＬＥＤの動作区間の区間長を変化させるのに必要な情報量を削減する。【解決手段】本発明のＬＥＤ制御回路においては、ＬＥＤ１１７〜１２０の動作区間におけるＬＥＤ１１７〜１２０の各々の点灯パターンの組み合わせと、その組み合わせに応じた区間長と、を対応付けて点灯パターン組み合わせテーブル４０１に格納しておく。そして、ＣＰＵ１０１は、動作区間ごとに、その動作区間におけるＬＥＤ１１７〜１２０の各々の点灯パターンの組み合わせを元に点灯パターン組み合わせテーブル４０１を参照して区間長を決定する。【選択図】図４
2008147442.tif 000002
【特許請求の範囲】
【請求項１】
複数のＬＥＤの動作区間ごとに、当該動作区間の区間長を決定し、前記複数のＬＥＤの各々の点灯パターンを制御するＬＥＤ制御方法であって、
前記動作区間ごとに、当該動作区間における前記複数のＬＥＤの各々の点灯パターンの組み合わせに応じて当該動作区間の区間長を決定し、前記複数のＬＥＤの各々の点灯パターンを制御する制御ステップを有する、ＬＥＤ制御方法。
【請求項２】
前記動作区間における前記複数のＬＥＤの各々の点灯パターンの組み合わせと、当該組み合わせに応じた当該動作区間の区間長と、を対応付けてテーブルに格納する格納ステップをさらに有し、
前記制御ステップでは、前記動作区間ごとに、当該動作区間における前記複数のＬＥＤの各々の点灯パターンの組み合わせを元に前記テーブルを参照して当該動作区間の区間長を決定する、請求項１に記載のＬＥＤ制御方法。
【請求項３】
複数のＬＥＤの動作区間ごとに、当該動作区間の区間長を決定し、前記複数のＬＥＤの各々の点灯パターンを制御するＬＥＤ制御回路であって、
前記動作区間ごとに、当該動作区間における前記複数のＬＥＤの各々の点灯パターンの組み合わせに応じて当該動作区間の区間長を決定し、前記複数のＬＥＤの各々の点灯パターンを制御する制御手段を有する、ＬＥＤ制御回路。
【請求項４】
前記動作区間における前記複数のＬＥＤの各々の点灯パターンの組み合わせと、当該組み合わせに応じた当該動作区間の区間長と、を対応付けて格納するテーブルをさらに有し、
前記制御手段は、前記動作区間ごとに、当該動作区間における前記複数のＬＥＤの各々の点灯パターンの組み合わせを元に前記テーブルを参照して当該動作区間の区間長を決定する、請求項３に記載のＬＥＤ制御回路。
【請求項５】
複数のＬＥＤの動作区間ごとに、当該動作区間の区間長を決定し、前記複数のＬＥＤの各々の点灯パターンを制御するＬＥＤ制御回路を含む携帯電話端末であって、
前記ＬＥＤ制御回路は、
前記動作区間ごとに、当該動作区間における前記複数のＬＥＤの各々の点灯パターンの組み合わせに応じて当該動作区間の区間長を決定し、前記複数のＬＥＤの各々の点灯パターンを制御する制御手段を有する、携帯電話端末。
【請求項６】
前記ＬＥＤ制御回路は、
前記動作区間における前記複数のＬＥＤの各々の点灯パターンの組み合わせと、当該組み合わせに応じた当該動作区間の区間長と、を対応付けて格納するテーブルをさらに有し、
前記制御手段は、前記動作区間ごとに、当該動作区間における前記複数のＬＥＤの各々の点灯パターンの組み合わせを元に前記テーブルを参照して当該動作区間の区間長を決定する、請求項５に記載の携帯電話端末。
【発明の詳細な説明】
【技術分野】
【０００１】
本発明は、複数のＬＥＤの各々の点灯パターンを個別に制御するＬＥＤ制御方法、ＬＥＤ制御回路、携帯電話端末に関する。
【背景技術】
【０００２】
携帯電話端末では、端末メーカー・通信キャリア間の競争が激化していることから、他の携帯電話端末との差別化を図る機能の１つとして、ＬＥＤをイルミネーションのように点灯点滅させるような付加機能の充実が図られてきている。
【０００３】
最近、ＰＷＭ制御によって、複数のＬＥＤの点灯パターンを個別に制御する技術が開示されている（例えば、特許文献１参照）。
【０００４】
以下、ＬＥＤの点灯パターンの例について説明する。なお、本明細書では、４個のＬＥＤの点灯パターンを制御するものとして説明する。
【０００５】
図５は、従来のＬＥＤの点灯パターンの一例を説明する図である。
【０００６】
図５に示すように、４個のＬＥＤ＃１〜＃４は、それぞれに点灯パターン情報が設定され、設定された点灯パターン情報に従って点灯パターンが制御される。
【０００７】
図５の例では、ＬＥＤ＃１がフェードイン（段々明るくなる）しながら明るくなり、続いてＬＥＤ＃２、ＬＥＤ＃３、ＬＥＤ＃４と順番にフェードイン動作をしていき、ＬＥＤ＃４がＯＮ状態になった後は、全部のＬＥＤ＃１〜＃４が同時にフェードアウト（段々暗くなる）しながら暗くなり、ＯＦＦ状態になっていく動作を繰り返している。なお、ＬＥＤ＃１〜＃４を動作させる各動作区間の長さは、区間長Ｔで一定となっている。
【０００８】
図６は、従来のＬＥＤの点灯パターンの他の例を説明する図である。
【０００９】
図６の例では、ＬＥＤ＃１〜＃４の点灯パターン自体は図５と同じであるが、区間長Ｔが図５の場合よりも短くなっている。
【００１０】
図５および図６の例では、ＬＥＤ＃１〜＃４の点灯パターンを、動作区間ごとに、変化させることができる。そのため、ユーザ操作によって、動作区間ごとに、ＬＥＤ＃１〜＃４の点灯パターンを変化させることにより、ユーザの嗜好に合わせて点灯パターンを変化させることが可能である。しかしながら、各動作区間の区間長Ｔは一定であるため、点灯パターンの変化が単調となってしまう。
【００１１】
そこで、最近、ＬＥＤの動作区間の区間長に変化を付ける技術が開示されている（例えば、特許文献２，３参照）。
【００１２】
以下、ＬＥＤの動作区間の区間長に変化を付けたＬＥＤ点灯パターンの例について説明する。
【００１３】
図７は、従来のＬＥＤの点灯パターンのさらに他の例を説明する図である。
【００１４】
図７の例では、ＬＥＤ＃１〜＃４の動作区間の区間長を１つではなく複数個用意するとともに、点灯パターン情報の他に、各動作区間の区間長を定義する区間長情報を用意する。ここでは、動作区間の区間長として、４種類（フェードイン区間長Ｔｉｎ、ＯＮ区間長Ｔｏｎ、フェードアウト区間長Ｔｏｕｔ、ＯＦＦ区間長Ｔｏｆｆ）が用意されている。
【００１５】
各動作区間の区間長は、区間長情報がＡの場合はＴｉｎに、Ｂの場合はＴｏｎに、Ｃの場合はＴｏｕｔに、Ｄの場合はＴｏｆｆに、それぞれ決定される。
【００１６】
このように、複数の区間長と区間長情報を用意することで、例えば、フェードイン時間だけを短くしたりするなど、各動作区間の区間長を容易に変化させることができるため、点灯パターンを色々なバリエーションを持たせて変化させることが可能となる。
【特許文献１】特開２００４−３４９０２７号公報
【特許文献２】特開平０７−３２０８７６号公報
【特許文献３】特開平１０−００３９９１号公報
【発明の開示】
【発明が解決しようとする課題】
【００１７】
しかしながら、図７の例では、区間長情報が必要である。図７の点灯パターンであれば、区間長情報は、７区間分（１Ｂｙｔｅ／１区間とすると７Ｂｙｔｅ）が必要であるが、点灯パターンに特徴を持たせてエンタテイメント性を高めようとすると、どうしても点灯パターン情報は長くなってしまい、情報量が多くなってしまう。また、点灯パターンを複数種類用意するとなると、必要な情報量はさらに増加してしまう。通常、このような可変データは、プログラム用のメモリ領域とは別に確保したデータ用のメモリ領域に格納されるが、データ用のメモリ領域には他のデータ（携帯電話端末の場合は、ＪＡＶＡアプリ、写真データなど）も格納されるため、できるだけ個々の情報量を少なくする必要がある。
【００１８】
そこで、本発明の目的は、ＬＥＤの動作区間の区間長を変化させるのに必要な情報量を削減することができるＬＥＤ制御方法、ＬＥＤ制御回路、携帯電話端末を提供することにある。
【課題を解決するための手段】
【００１９】
上記目的を達成するために本発明のＬＥＤ制御方法は、
複数のＬＥＤの動作区間ごとに、当該動作区間の区間長を決定し、前記複数のＬＥＤの各々の点灯パターンを制御するＬＥＤ制御方法であって、
前記動作区間ごとに、当該動作区間における前記複数のＬＥＤの各々の点灯パターンの組み合わせに応じて当該動作区間の区間長を決定し、前記複数のＬＥＤの各々の点灯パターンを制御する制御ステップを有することを特徴とする。
【００２０】
なお、前記動作区間における前記複数のＬＥＤの各々の点灯パターンの組み合わせと、当該組み合わせに応じた当該動作区間の区間長と、を対応付けてテーブルに格納する格納ステップをさらに有し、
前記制御ステップでは、前記動作区間ごとに、当該動作区間における前記複数のＬＥＤの各々の点灯パターンの組み合わせを元に前記テーブルを参照して当該動作区間の区間長を決定することとしても良い。
【００２１】
上記目的を達成するために本発明のＬＥＤ制御回路は、
複数のＬＥＤの動作区間ごとに、当該動作区間の区間長を決定し、前記複数のＬＥＤの各々の点灯パターンを制御するＬＥＤ制御回路であって、
前記動作区間ごとに、当該動作区間における前記複数のＬＥＤの各々の点灯パターンの組み合わせに応じて当該動作区間の区間長を決定し、前記複数のＬＥＤの各々の点灯パターンを制御する制御手段を有することを特徴とする。
【００２２】
上記目的を達成するために本発明の携帯電話端末は、
複数のＬＥＤの動作区間ごとに、当該動作区間の区間長を決定し、前記複数のＬＥＤの各々の点灯パターンを制御するＬＥＤ制御回路を含む携帯電話端末であって、
前記ＬＥＤ制御回路は、
前記動作区間ごとに、当該動作区間における前記複数のＬＥＤの各々の点灯パターンの組み合わせに応じて当該動作区間の区間長を決定し、前記複数のＬＥＤの各々の点灯パターンを制御する制御手段を有することを特徴とする。
【発明の効果】
【００２３】
以上説明したように本発明によれば、動作区間ごとに、複数のＬＥＤの各々の点灯パターンの組み合わせに応じて区間長を決定するため、従来例のような区間長情報を持つ必要がないことから、区間長を変更するのに必要な情報量を削減することができるという効果が得られる。
【発明を実施するための最良の形態】
【００２４】
以下に、本発明を実施するための最良の形態について図面を参照して説明する。
【００２５】
図１は、本発明の一実施形態のＬＥＤ制御回路の構成を示す図である。なお、図１は、携帯電話端末に用いられるＬＥＤ制御回路について示しているが、本発明のＬＥＤ制御回路は、携帯電話端末以外の装置にも用いることができることは言うまでもない。
【００２６】
図１に示すように、本実施形態のＬＥＤ制御回路は、４個のＬＥＤ（＃１〜＃４）１１７〜１２０を制御する回路であり、ＣＰＵ１０１と、メモリ１０２，１０３と、クロック発生回路（ＣＬＫ）１０５と、ＰＷＭ回路１０８〜１１１と、ＬＥＤ用電源１１２と、抵抗１１３〜１１６と、トランジスタ１２１〜１２４とから構成されている。
【００２７】
ＬＥＤ（＃１〜＃４）１１７〜１２０は、着信通知または使用状態を表示するイルミネーション用の光源である。
【００２８】
ＬＥＤ（＃１〜＃４）１１７〜１２０には、それぞれ抵抗１１３〜１１６の一端およびトランジスタ１２１〜１２４のコレクタ端子が接続されている。
【００２９】
抵抗１１３〜１１６の他端には、ＬＥＤ用電源１１２が接続され、トランジスタ１２１〜１２４のエミッタ端子には、グランドが接続されている。
【００３０】
ＬＥＤ用電源１１２から供給された電流は、それぞれ抵抗１１３〜１１６、ＬＥＤ（＃１〜＃４）１１７〜１２０およびトランジスタ１２１〜１２４を経由して流れる。これにより、ＬＥＤ（＃１〜＃４）１１７〜１２０が点灯する。
【００３１】
トランジスタ１２１〜１２４のベース端子には、それぞれＰＷＭ回路１０８〜１１１が接続されている。
【００３２】
ＰＷＭ回路１０８〜１１１は、それぞれトランジスタ制御信号１２５〜１２８によってトランジスタ１２１〜１２４のＯＮ／ＯＦＦを制御する。
【００３３】
ＣＰＵ１０１は、携帯電話端末のＣＰＵを兼用する制御手段である。
【００３４】
ＣＰＵ１０１には、メモリバス１０４を介して、メモリ１０２およびメモリ１０３が接続されている。
【００３５】
メモリ１０２は、主に制御プログラム格納用として使用される。
【００３６】
メモリ１０３は、データ格納用として使用される。具体的には、メモリ１０３には、携帯電話端末のアプリケーションやデータが格納される他、本発明に関連するデータとして、ＬＥＤ（＃１〜＃４）１１７〜１２０を点灯させる点灯パターン情報や、後述のフェードイン輝度設定用テーブル３０１、フェードアウト輝度設定用テーブル３０２、点灯パターン組み合わせテーブル４０１などが格納される。
【００３７】
また、ＣＰＵ１０１には、ＰＷＭ回路１０８〜１１１が接続されており、ＣＰＵ１０１は、ＰＷＭ制御信号１０６によってＰＷＭ回路１０８〜１１１を制御する。
【００３８】
クロック発生回路１０５は、クロック信号１０７を発生し、ＰＷＭ回路１０８〜１１１は、クロック信号１０７を元に動作を行う。
【００３９】
図２は、ＬＥＤの平均電流を変化させる場合の動作を説明する図である。なお、図２中の回路ブロックは、図１からＬＥＤ（＃１）１１７に関係する１つの系統だけを抜き出したものである。
【００４０】
図２に示すように、ＣＰＵ１０１は、メモリ１０３に格納されているＬＥＤ（＃１）の点灯パターン情報に従って、ＰＷＭ回路１０８にデューティ比を設定する。ＰＷＭ回路１０８はクロック発生回路１０５から入力されたクロック信号１０７を元に、設定されたデューティ比に従ってトランジスタ制御信号１２５を出力する。
【００４１】
図２には、デューティ比１００％、５０％、２５％、０％の場合を示しているが、デューティ比を下げることでＬＥＤ（＃１）１１７に流れる平均電流は下がる。このように、ＣＰＵ１０１がＰＷＭ回路１０８に設定するデューティ比を変更することで、ＬＥＤ（＃１）１１７に流れる平均電流を変化させることが可能であり、ＬＥＤ（＃１）１１７の輝度を多段階で変化させることが可能となっている。
【００４２】
なお、ＬＥＤ（＃１）１１７は、デューティ比１００％のときは最大輝度となり、０％のときは消灯状態となる。
【００４３】
図３は、ＬＥＤがフェードイン・フェードアウトする場合の動作を説明する図である。
【００４４】
先に説明した図５〜図７では、フェードインの場合のＬＥＤの輝度を滑らかな線で示した。しかし、フェードインの場合、実際には、ＣＰＵ１０１がメモリ１０３に格納されたフェードイン輝度設定テーブル４０１に従って、ＰＷＭ回路１０８〜１１１にデューティ比を設定していくため、図４に示すように、ＬＥＤの輝度は階段状に増加していく。
【００４５】
また、フェードアウトの場合も同様に、メモリ１０３に格納されたフェードアウト輝度設定テーブル４０２に従って、ＬＥＤの輝度は階段状に減少していく。
【００４６】
図４は、本実施形態のＬＥＤの点灯パターンの一例を説明する図である。
【００４７】
本実施形態では、図７の従来例と比較して、４種類の区間長を用意することは同じであるが、区間長情報を用意せずに、動作区間ごとに、ＬＥＤ（＃１〜＃４）１１７〜１２０の各々の点灯パターンの組み合わせに応じて区間長を決定する点で異なる。
【００４８】
ここでは、ＬＥＤ（＃１〜＃４）１１７〜１２０の各々の点灯パターンの組み合わせと、その組み合わせに応じた区間長と、を対応付けて格納する点灯パターン組み合わせテーブル４０１を用いる場合を例に挙げて説明する。
【００４９】
また、点灯パターン組み合わせテーブル４０１には、点灯パターンの組み合わせに応じて、次のように区間長が設定されているものとする。
【００５０】
ａ）フェードインが１つ以上ある動作区間    ：区間長をＴｉｎに決定
ｂ）ＯＮかＯＦＦしかない動作区間          ：区間長をＴｏｎに決定
ｃ）ＯＦＦかフェードアウトしかない動作区間：区間長をＴｏｕｔに決定
ｄ）すべてがＯＦＦの動作区間              ：区間長をＴｏｆｆに決定
図７の例では、ＬＥＤ（＃１〜＃４）１１７〜１２０の最初の動作区間では、ＬＥＤ（＃１）１１７がフェードイン状態で、他のＬＥＤ（＃２〜＃４）１１８〜１２０はＯＦＦ状態である。従って、ＣＰＵ１０１は、最初の動作区間の区間長をＴｉｎに決定する。同様に、第２区間〜第４区間の区間長をＴｉｎに決定する。第５区間では、すべてのＬＥＤ（＃１〜＃４）１１７〜１２０がＯＮ状態であるため、区間長をＴｏｎに決定する。第６区間では、すべてのＬＥＤ（＃１〜＃４）１１７〜１２０がフェードアウト状態であるため、区間長をＴｏｕｔに決定する。第７区間では、すべてのＬＥＤ（＃１〜＃４）１１７〜１２０がＯＦＦ状態であるため、区間長をＴｏｆｆに決定する。
【００５１】
上述したように本実施形態においては、動作区間ごとに、ＬＥＤ（＃１〜＃４）１１７〜１２０の各々の点灯パターンの組み合わせに応じて区間長を決定するため、図７の従来例と同様に、各動作区間の区間長を容易に変えることができ、点灯パターンを色々なパターンに変化させることができる。
【００５２】
また、図７の従来例の区間長情報を持つ必要がないため、区間長を変更するのに必要な情報量を削減することができる。
【００５３】
なお、点灯パターン組み合わせテーブル４０１を用いる場合でも、この点灯パターン組み合わせテーブル４０１は、図７の従来例の区間長情報と比較して情報量は少なく、また、点灯パターン情報の種類や、個々の点灯パターン情報の長さに左右されないため、情報量を削減できるという効果は維持される。
【００５４】
このように、本実施形態においては、図７の従来例と同様に、ＬＥＤ（＃１〜＃４）１１７〜１２０の動作区間の区間長を変化させるという機能を実現しながらも、そのために必要な情報量を削減することができる。
【図面の簡単な説明】
【００５５】
【図１】本発明の一実施形態のＬＥＤ制御回路の構成を示す図である。
【図２】図１に示したＬＥＤ制御回路において、ＬＥＤの平均電流を変化させる場合の動作を説明する図である。
【図３】図１に示したＬＥＤ制御回路において、ＬＥＤがフェードイン・フェードアウトする場合の動作を説明する図である。
【図４】図１に示したＬＥＤ制御回路におけるＬＥＤの点灯パターンの一例を説明する図である。
【図５】従来のＬＥＤの点灯パターンの一例を説明する図である。
【図６】従来のＬＥＤの点灯パターンの他の例を説明する図である。
【図７】従来のＬＥＤの点灯パターンのさらに他の例を説明する図である。
【符号の説明】
【００５６】
１０１    ＣＰＵ
１０２，１０３    メモリ
１０４    メモリバス
１０５    クロック発生回路
１０６    ＰＷＭ制御信号
１０７    クロック信号
１０８〜１１１    ＰＷＭ回路
１１２    ＬＥＤ用電源
１１３〜１１６    抵抗
１１７〜１２０    ＬＥＤ
１２１〜１２４    トランジスタ
１２５〜１２８    トランジスタ制御信号
【図１】
2008147442.tif 000003
【図２】
2008147442.tif 000004
【図３】
2008147442.tif 000005
【図４】
2008147442.tif 000006
【図５】
2008147442.tif 000007
【図６】
2008147442.tif 000008
【図７】
2008147442.tif 000009